(57)【要約】      （修正有）【課題】バブル層またはフロート食材層がはっきりと見えやすい飲料または液体を装うカップを提供する。【解決手段】バブル層またはフロート食材層を有する飲料または液体を装うカップは、カップマウス１、カップボトム２及びカップボディ３を含む。カップマウスは外向きに延伸してカップエッジ部１１を有する。カップボトムは内向きに凹陥して凹凸部を呈する。カップボディは第一環部を備え且つ中空の円筒を呈し、中空の円筒の一端はカップボトムと連接し、中空の円筒のもう一方の一端はカップマウスと連接する。カップマウスの直径は第一環部の直径よりも大きく、第一環部の直径はカップボトムの直径よりも大きく、カップボディはカップボトムからカップマウスに向かって、徐々に拡大する中空の円筒を形成する。【選択図】図１
0003228160.tif 000002
【実用新案登録請求の範囲】
【請求項１】
バブル層またはフロート食材層を有する飲料を装うカップであり、カップマウス、カップボトム及びカップボディを含み、
前記カップマウスが外向きに延伸してカップエッジ部を有し、
前記カップボトムが内向きに凹陥して凹凸部を呈し、
前記カップボディが第一環部を備え且つ中空の円筒を呈し、前記中空の円筒の一端が前記カップボトムと連接し、前記中空の円筒のもう一方の一端が前記カップマウスと連接し、
そのうち、前記カップマウスの直径が前記第一環部の直径よりも大きく、前記第一環部の直径が前記カップボトムの直径よりも大きく、このため前記カップボディが前記カップボトムから前記カップマウスに向かって、徐々に拡大する中空の円筒を形成する、バブル層またはフロート食材層を有する飲料を装うカップ。
【請求項２】
前記カップボディが更に第二環部を備え、前記第二環部と前記カップマウスの直径が同じである、請求項１に記載のバブル層またはフロート食材層を有する飲料を装うカップ。
【請求項３】
前記カップボディが更に第三環部を備え、前記第三環部の直径が前記第一環部の直径よりも小さい、請求項１に記載のバブル層またはフロート食材層を有する飲料を装うカップ。
【請求項４】
前記カップボディが更に第四環部を備え、前記第四環部の直径が前記第三環部の直径よりも小さい、請求項３に記載のバブル層またはフロート食材層を有する飲料を装うカップ。
【請求項５】
前記カップボトムの直径が前記第四環部の直径よりも小さい、請求項４に記載のバブル層またはフロート食材層を有する飲料を装うカップ。
【請求項６】
前記カップボディ、前記カップボトム及び前記カップマウスが一体成型のプラスチック材質である、請求項１に記載のバブル層またはフロート食材層を有する飲料を装うカップ。
【請求項７】
前記カップボディ、前記カップボトム及び前記カップマウスが一体成型のプラスチック材質であることから、高温で且つバブル層またはフロート食材層を有する飲料を装う、請求項６に記載のバブル層またはフロート食材層を有する飲料を装うカップ。
【請求項８】
前記カップボディ、前記カップボトム及び前記カップマウスが一体成型のプラスチック材質であることから、低温で且つバブル層またはフロート食材層を有する飲料を装う、請求項６に記載のバブル層またはフロート食材層を有する飲料を装うカップ。
【請求項９】
前記カップマウスの前記カップエッジ部が、ホットプレスによる粘着でシーリングが行われる、請求項１に記載のバブル層またはフロート食材層を有する飲料を装うカップ。
【請求項１０】
前記カップボトムの前記凹凸部の中心において凸点を凸設する、請求項１に記載のバブル層またはフロート食材層を有する飲料を装うカップ。
【考案の詳細な説明】
【技術分野】
【０００１】
本考案はカップに関し、特に、バブル層またはフロート食材層を有する飲料を装うカップである。
【背景技術】
【０００２】
近年、ドリンクスタンドで購入できるバブルティーといった飲料が、美味しさと値段の手ごろさから人気を集め、放課後や休暇日には若者がみな手にしているように現代のトレンドとなっている。また業者側はニーズに対応するために工夫を凝らして次々に新商品を打ち出し、バブルティーに食感がプラスされるクリームバブルやココアパウダー、タピオカ、ココナッツ、こんにゃく等の食材を加えたものが見受けられる。元々のバブルティーに食感の変化のみならず視覚効果も合わさり、ドリンクスタンドの業績は伸び続けている。
【０００３】
現在ドリンクスタンド等で販売されるドリンクはおおむね、厚みのあるバブル層またはフロート食材層を有するものである。ドリンクを常見される狭口のカップで装う場合、中のおいしそうなバブル層またはフロート食材層がはっきりと且つ全体的には見えなくなるので、業者が商品を通じて消費者に与えたい視覚効果がかなり弱くなってしまう。
【考案の概要】
【考案が解決しようとする課題】
【０００４】
本考案はカップを提供することで、上述した背景技術の問題を解決する。
【課題を解決するための手段】
【０００５】
本考案の主な目的は、バブル層またはフロート食材層を有する飲料または液体を装うカップを提供することである。本考案のカップは、カップマウス、カップボトム及びカップボディを含む。カップマウスは外向きに延伸してカップエッジ部を有する。カップボトムは内向きに凹陥して凹凸部を呈する。カップボディは第一環部を備え且つ中空の円筒を呈し、中空の円筒の一端はカップボトムと連接し、中空の円筒のもう一方の一端はカップマウスと連接する。また、カップボディ、カップボトム及びカップマウスは一体成型のプラスチック材質、或いはそれと同等の効果を有する透明材質である。また、カップマウスの直径は第一環部の直径よりも大きく、第一環部の直径はカップボトムの直径よりも大きく、このためカップボディはカップボトムからカップマウスに向かって、徐々に拡大する中空の円筒を形成する。
【０００６】
本考案において、カップボディは更に第二環部を備え、第二環部と前記カップマウスの直径は同じである。
【０００７】
本考案において、カップボディは更に第三環部を備え、第三環部の直径は前記第一環部の直径よりも小さい。
【０００８】
本考案において、カップボディは更に第四環部を備え、第四環部の直径は前記第三環部の直径よりも小さい。
【０００９】
本考案において、カップボトムの直径は第四環部の直径よりも小さい。
【００１０】
本考案において、カップボディ、カップボトム及びカップマウスは一体成型のプラスチック材質である。
【００１１】
本考案において、カップボディ、カップボトム及びカップマウスは一体成型のプラスチック材質であることから、高温で且つバブル層またはフロート食材層を有する飲料を装う。
【００１２】
本考案において、カップボディ、カップボトム及びカップマウスは一体成型のプラスチック材質であることから、低温で且つバブル層またはフロート食材層を有する飲料を装う。
【００１３】
本考案において、カップマウスのカップエッジ部はホットプレスによる粘着でシーリングが行われる。
【００１４】
本考案において、カップボトムの凹凸部の中心において凸点を凸設する。
【００１５】
周知技術と比較すれば、本考案によるカップは幅のあるサイズのカップマウスを提供することで、厚みのあるバブル層またはフロート食材層を有する飲料を装った時、おいしそうなバブル層またはフロート食材層がはっきりと且つ全体的に見えやすくなるので、業者が商品を通じて消費者に与える視覚効果が強くなる。
【図面の簡単な説明】
【００１６】
【図１】本考案における第一実施例のカップの立体図である。
【図２】本考案における第一実施例のカップの断面図である。
【図３】本考案における第二実施例のカップの立体透視図である。
【考案を実施するための形態】
【００１７】
本考案の目的・特徴及び効果について理解するために、以下に述べる具体的な実施例を通し、付属の図面と合わせ、本考案の詳細な説明をする。説明文は以下である。
【００１８】
本考案の個数は、特に記載がない場合を除き、一つまたは少なくとも一つであり、  且つ複数である場合を含むことがある。
【００１９】
考案における「含む」や「備える」またそれらに類似する用語は、非排他的な包括物を網羅していることを意味する。例えば、複数の要素を含むユニットや構造・製品・装置は、本文に記載される要素に限らず、記載がなくとも該当するユニットや構造・製品・装置が通常持つ他の要素を包括することもできる。これ以外に、特に記載がない場合を除き、本文中の「あるいは」という用語は包括的意味として用いられ、排他的意味を持たない。
【００２０】
図１、即ち本考案における第一実施例のカップの立体図を参照されたい。図１を通じてわかるように、本考案のカップ１０は、バブル層またはフロート食材層を有する飲料を装うのに用いられる。但し本考案はこれに限定されない。本実施例において、該カップはカップマウス１、カップボトム２及びカップボディ３を含む。これ以外に、当業者の理解を得たい部分として、カップボディ３、カップボトム２及びカップマウス１は一体成型とすることができ、その材質はプラスチック材質とすることができ、そして本考案はこれに限定されない。実際に応用される状況において、消費者はカップボディ３に一層のカップスリーブをはめて高温で且つバブル層またはフロート食材層を有する飲料を装ったカップボディ３を手で持つ、あるいは低温で且つバブル層またはフロート食材層を有する飲料を装ったカップボディ３を直接手で持つ、といったことが可能である。カップ１０が低温で且つバブル層またはフロート食材層を有する飲料を装った際、消費者はカップボディ３を直接手で持つことで、カップ１０を通じた清涼感を瞬時に味わい、炎天下でしばし暑さを和らげることができる。
【００２１】
図２、即ち本考案における第一実施例のカップの断面図を合わせて参照されたい。
【００２２】
カップマウス１は外向きに延伸してカップエッジ部１１を有する。このカップエッジ部１は１平たく整った表面であるために、消費者がカップに口をつけても擦り傷等による流血を起こさない。これ以外に、実際に応用される状況において、消費者はカップマウス１（カップ１０の広口箇所）において、バブル層またはフロート食材層を全て且つ直接見ることができる。その他の実施例においては、前記カップマウス１のカップエッジ部１１は、ホットプレスシール機（図示していない）を通じたホットプレスによる粘着方式でシーリングを行うことで、飲料がカップマウス１から溢れるのを防ぐものとなる。前記ホットプレスシール機は本考案の技術的特徴ではないため、ホットプレスによる粘着方式及びその原理については詳述を避ける。
【００２３】
カップボトム２は内向きに凹陥して凹凸部２１を呈する。これにより、飲料を装ったカップマウス１を机の上に安定して置くことができ倒れにくくなる。
【００２４】
カップボディ３は第一環部３１、第二環部３２、第三環部３３及び第四環部３４を備え、且つ中空の円筒を呈する（図示していない）。前記中空の円筒の一端（図示していない）は、カップボトム２と連接して一個の容置空間４を形成し、前記中空の円筒のもう一方の一端（図示していない）はカップマウス１と連接する。本実施例において、カップマウス１の直径Ｌ１と第二環部３２の直径Ｌ２が同じであり、第一環部３１の直径Ｌ３は第二環部３２の直径Ｌ２よりも小さく、第三環部３３の直径Ｌ４は第一環部３１の直径Ｌ３よりも小さく、第四環部３４の直径Ｌ５は第三環部３３の直径Ｌ４よりも小さく、カップボトム２の直径Ｌ６は第四環部３４の直径Ｌ５よりも小さい。ゆえに、カップボディ３はカップボトム２からカップマウス１に向かって、徐々に拡大する中空の円筒を形成する。言い換えれば、カップボディ３は同心円により直径が変化し、カップマウス１の直径Ｌ１がカップボトム２の直径Ｌ６よりも大きくなっており、且つカップボトム２からカップマウス１までは不規則性の変化を呈している。よって、カップボディ３は円弧の延伸、曲線の延伸及び直線の延伸の変化を呈する外観となる。これ以外に、実際に応用される状況において、消費者はカップボディ３の第一環部３１の付近（即ちカップ１０の狭口箇所）において、バブル層またはフロート食材層を全て且つ直接見ることができ、並びにストローを挿入してバブル層またはフロート食材層を吸い込むことができる。
【００２５】
図３、即ち本考案における第二実施例のカップの立体透視図を参照されたい。本実施例におけるユニットは、全て前述した第一実施例で挙げたものと同じである。唯一の差異は、カップボトム２の凹凸部２１の最も中心において更に一個の凸点２１２を設置することである。これにより、カップどうしが相互に積み重なる際、凸点２１２付近で空隙（図示していない）を形成することで、カップどうしを迅速に分離させることができる。本実施例で言う凸点２１２とは、円形の実質的な凸点とすることができ、また本考案はこれに限定されない。
【００２６】
以上に本考案の好ましい実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００２７】
１０    カップ
１      カップマウス
１１    カップエッジ部
２      カップボトム
２１    凹凸部
２１２  凸点
３      カップボディ
４      容置空間
３１    第一環部
３２    第二環部
３３    第三環部
３４    第四環部
Ｌ１    直径
Ｌ２    直径
Ｌ３    直径
Ｌ４    直径
Ｌ５    直径
Ｌ６    直径
【図１】
0003228160.tif 000003
【図２】
0003228160.tif 000004
【図３】
0003228160.tif 000005